(57)【特許請求の範囲】
【請求項１】
肌面シートと防漏シートとの間に体液吸収体が介在された体液吸収性物品であって、
前記肌面シートは、不透液性素材からなる多孔性のメッシュシートであり、
前記メッシュシートには、円形状、方形状又は多角形状の第１のエンボスが間隔をあけて複数付与され、このメッシュシートにおける前記第１のエンボスの各底面には第２のエンボスが複数付与され、体圧によって前記第１のエンボスが潰れても前記第２のエンボスの各底面が着用者に接しない構成とされており、
前記第１のエンボスが、深さ０．０１〜０．２ｍｍとされており、
前記メッシュシートが、ＪＩＳ  Ｌ  １０９６に準じる剛度を１０〜５０ｍｍとされ、
前記第２のエンボスが、深さ０．００５〜０．１ｍｍ、かつ最大幅０．０５〜０．１ｍｍの帯状とされている、ことを特徴とする体液吸収性物品。
【請求項２】
前記メッシュシートにおける各孔の最大径は０．０５〜２ｍｍであり、
前記メッシュシートにおける孔の数は２０〜１００個／ｃｍ2である、
請求項１記載の体液吸収性物品。
【請求項３】
前記第１のエンボスの中心間距離は０．５〜５ｍｍであり、
各第１のエンボスの底部の面積は０．００２〜０．２８ｃｍ2であり、
前記第１のエンボスの数は２０〜１００個／ｃｍ2であり、
請求項１又は２記載の体液吸収性物品。
【請求項４】
前記帯状の第２のエンボスは、前記メッシュシートにおける第１のエンボスを有する部分及び第１のエンボスのエンボス間の部分を通るように延在しており、かつこれら第２のエンボスが縞状をなすように複数形成されている、請求項２記載の体液吸収性物品。
【発明の詳細な説明】
【技術分野】
【０００１】
本発明は、生理用ナプキンやおりものシート、失禁パッド、医療用パッド、トイレタリー、紙おむつ等の体液吸収性物品であって、特に体液吸液効果、体液の逆戻り防止効果、肌への貼付き防止効果（ドライタッチ感）、肌触り感等の向上が図られた体液吸収性物品に関するものである。
【背景技術】
【０００２】
従来から、この種の体液吸収性物品としては、不織布シート等からなる透液性の肌面シートとポリエチレンシートやポリエチレンシートラミネート不織布シート等からなる不透液性の防漏シートとの間に綿状パルプ等からなる体液吸収体が介在されたものが知られている。また、特に近年では、肌に対するドライタッチ感を向上させるとともに体液の吸収性を高めるために、肌面シートとしてポリエチレンやポリプロピレン等の不透液性素材からなる多孔性のシート（いわゆるメッシュシート）を使用したものが市販化されるようになっている。このメッシュシートを肌面シートとして使用した体液吸収性物品においては、体液がメッシュシートに形成された多数の孔を通してこのメッシュシートの下側に積層された不繊布等からなる透水性シートや体液吸収体に速やかに吸収され、また、体液吸収後は肌面シートが不透液性素材からなることから逆戻りが減少しドライタッチ感に優れるとされる。しかしながら、この形態の体液吸収性物品においても、不透液性素材からなる表面シートと親水性の肌（皮膚）との間に体液が残存（滞留）する場合があり、十分なドライタッチ感が確実には得られない。
そこで、当該メッシュシートを「互いに非連続である無数の帯状の頂部と、該頂部間の空間にそれぞれ帯状に凹んで形成された無数の帯状の底部と、上記頂部及び上記底部をそれぞれ連結する帯状の壁部とから形成されており、且つ上記底部に複数の孔が設けられた」形態としたものが提案されている（例えば、特許文献１参照。）。しかしながら、この形態のメッシュシートを採用しても、例えば、座っているとき等、メッシュシートを含む生理用ナプキンに５０ｇ／ｃｍ2程度の体圧がかかった際に、帯状の底部と親水性の肌とが当接し、両者の間に残存する体液が肌に触れるため、十分なドライタッチ感が得られなくなる。
【特許文献１】特開平５−３１７３５８号公報
【発明の開示】
【発明が解決しようとする課題】
【０００３】
本発明が解決しようとする主たる課題は、確実にドライタッチ感が得られる体液吸収性物品を提供することにある。
【課題を解決するための手段】
【０００４】
この課題を解決した本発明は次のとおりである。
〔請求項１記載の発明〕
肌面シートと防漏シートとの間に体液吸収体が介在された体液吸収性物品であって、
前記肌面シートは、不透液性素材からなる多孔性のメッシュシートであり、
前記メッシュシートには、円形状、方形状又は多角形状の第１のエンボスが間隔をあけて複数付与され、前記メッシュシートにおける前記第１のエンボスの各底面には第２のエンボスが複数付与され、体圧によって前記第１のエンボスが潰れても前記第２のエンボスの各底面が着用者に接しない構成とされており、
前記第１のエンボスが、深さ０．０１〜０．２ｍｍとされており、
前記メッシュシートが、ＪＩＳ  Ｌ  １０９６に準じる剛度を１０〜５０ｍｍとされ、
前記第２のエンボスが、深さ０．００５〜０．１ｍｍ、かつ最大幅０．０５〜０．１ｍｍの帯状とされている、ことを特徴とする体液吸収性物品。
【０００５】
〔請求項２記載の発明〕
前記メッシュシートにおける各孔の最大径は０．０５〜２ｍｍであり、
前記メッシュシートにおける孔の数は２０〜１００個／ｃｍ2である、
請求項１記載の体液吸収性物品。
【０００６】
〔請求項３記載の発明〕
前記第１のエンボスの中心間距離は０．５〜５ｍｍであり、
各第１のエンボスの底部の面積は０．００２〜０．２８ｃｍ2であり、
前記第１のエンボスの数は２０〜１００個／ｃｍ2であり、
請求項１又は２記載の体液吸収性物品。
【０００７】
〔請求項４記載の発明〕
前記帯状の第２のエンボスは、前記メッシュシートにおける第１のエンボスを有する部分及び第１のエンボスのエンボス間の部分を通るように延在しており、かつこれら第２のエンボスが縞状をなすように複数形成されている、請求項２記載の体液吸収性物品。
【０００８】
【発明の効果】
【０００９】
本発明によると、確実にドライタッチ感が得られる体液吸収性物品となる。
【発明を実施するための最良の形態】
【００１０】
次に、本発明の実施の形態を説明する。なお、本発明の体液吸収性物品としては、例えば、生理用ナプキンやおりものシート、失禁パッド、医療用パッド、トイレタリー、紙おむつ等を例示することができるが、以下では、体液吸収性物品が生理用ナプキンである場合を例に説明する。
【００１１】
図１及び図２に示すように、本形態の生理用ナプキン１０は、不繊布シート等からなる透液性シート１とポリエチレンシート等の不透液性シートからなる防漏シート２との間に体液吸収体３が介在され、透液性シート１の表面上にポリエチレンやこれに酸化チタンが混入された不透液性素材からなる多孔性の肌面シート（以下「メッシュシート」という。）Ｍが積層された基本構造となっている。
【００１２】
このメッシュシートＭは、透液性シート１よりも幅広とされ、かつ透液性シート１の幅方向中央部に配置されている。このメッシュシートＭの幅は、透液性シート１の幅に対して、１倍〜３倍、好ましくは１倍〜２．５倍である。ただし、メッシュシートＭの幅を透液性シート１の幅と同じとし、あるいはこれに加えて透液性シート１を省略することもできる。
【００１３】
体液吸収体３は、経血等の体液を吸収する性質を有し、本形態では、コットンや積繊パルプ、高吸収性ポリマーＰ，Ｐ…等で構成された下側吸収コア３Ｂとこの下側吸収コア３Ｂの幅方向中央部上に積層された下側吸収コア３Ｂよりも幅狭の上側吸収コア３Ａとがクレープ紙やティシュペーパー等からなる被覆シート３Ｃで額巻きされてある程度の硬性を有するコア状とされている。上側吸収コア３Ａは、肌に対するフィット性や吸収力を向上させるためのものであり、省略することもできる。また、本形態においては、透液性シート１と体液吸収体３との間に不繊布等からなるセカンドシートを積層させて、体液の拡散性向上を図ることができる。
【００１４】
透液性シート１の両側端部上には、体液の横漏れ防止機能を有する立体ギャザーＲが設けられている。この立体ギャザーＲは、ギャザーシート４が２つに折り重ねられて形成されており（二層構造）、折返し縁近傍のギャザーシート４間には、糸ゴム等からなる弾性伸縮部材Ｄが伸長下でホットメルト接着剤等の接着剤によって固定されている。また、透液性シート１と下層のギャザーシート４、及び、下層のギャザーシート４と上層のギャザーシート４は、それぞれホットメルト接着剤ＨＭによって接合されており、特に前後端部においては、上層のギャザーシート４と折返し縁近傍のギャザーシート４もホットメルト接着剤ＨＭによって接合されている。したがって、製品が舟形形状となる装着（使用）状態において、ギャザーシート４は、弾性伸縮部材Ｄの収縮力によって、折返し縁を先端として起立する。
【００１５】
本形態において、上層のギャザーシート４は、体液吸収体３の側方に、防漏シート２と同位置まで延出して防漏シート２とでサイドフラップを構成しており、防漏シート２とで本生理用ナプキン１０の側縁を規律している。このギャザーシート４及び防漏シート２の延出は、前後方向中央部において特に長くなっており、この長くなった部分が肌着の裏側（外面側）に折り返されて止着されるウィングＷを構成している。また、このギャザーシート４及び防漏シート２の延出は、前後方向後端部においても長くなっており、この長くなった部分が臀部に対するフィット性や臀部からの体液の漏れ防止効果を向上させる、いわゆるエンドフラップＷ１を構成している。
【００１６】
同様に、透液性シート１及び防漏シート２は、体液吸収体３よりも前後方まで延出して前後フラップを構成しており、この前後フラップの縁部がヒートシール（加熱融着）等によって接合され、本生理用ナプキン１０の前後縁を規律している。
【００１７】
さらに、防漏シート２の外面には、ショーツ等の肌着に対する止着部Ｓが設けられている。この止着部Ｓは、例えば、スチレン・ブタジエン共重合体やスチレン・オレフィン共重合体等からなる粘着剤を、前後方向に帯状に塗布して形成することができる。この止着部Ｓは、装着時において本生理用ナプキン１０を肌着に止着するためのものである。ただし、本生理用ナプキン１０を需要者に提供する段階においては、この止着部Ｓに図示しない剥離シート等が止着される。この剥離シートは、ポリエチレンシート、ポリプロピレンシート、ポリエチレンテレフタレートシート、ラミネート紙、等からなり、止着部Ｓに対して剥離可能に止着され、止着部Ｓを保護する。
【００１８】
次に、メッシュシートＭについて、詳細に説明する。
図３に示すように、本形態のメッシュシートＭは、不透液性素材からなるシートに複数の孔Ｍ１，Ｍ１…が形成された多孔性とされている。このメッシュシートＭの原料となる不透液性素材としては、例えば、ポリエチレン、ポリプロピレン等のオレフィン系樹脂、ポリエステル、ナイロン等のポリアミド系樹脂のほか、ＥＶＡ、等を使用することができる。ただし、ポリエチレンやポリプロピレン等のオレフィン系樹脂、又はポリエチレンに酸化チタンを混ぜた不透液性素材を使用するのが好ましい。例えば、ポリエチレンに酸化チタンを混ぜると、不透明度が向上し、径血等の隠蔽性効果が向上する。
【００１９】
メッシュシートＭの各孔Ｍ１の最大径は、０．０５〜２ｍｍ 、好ましくは０．１〜１ｍｍである。また、孔Ｍ１の数は、２０〜１００個／ｃｍ2、好ましくは３０〜７０個／ｃｍ2である。さらに、孔Ｍ１の形状は、特に限定されず、図示例のような菱形状のほか、例えば、真円形状、楕円形状等の円形状、長方形状、正方形状等の方形状、三角形状、五角形状等の多角形状、等とすることができる。孔Ｍ１を形成する方法も、特に限定されない。例えば、合成樹脂シートを軟化温度付近まで加熱して軟化させ、この軟化させた合成樹脂シートを多数の開孔を有する支持体の上面に載置した状態で支持体の下方から吸引したり、支持体の上面から加圧したりする方法や、合成樹脂シートに多数のスリットを刻入した後に、当該合成樹脂シートを延伸して開孔させる方法、等を例示することができる。図示例の孔Ｍ１は、後者の方法によって形成した例である。
【００２０】
本形態において、メッシュシートＭの厚さは、０．１〜０．３ｍｍ、好ましくは０．１５〜０．２５ｍｍである。
【００２１】
本形態のメッシュシートＭには、図５の（１）にも示すように、第１のエンボス１１が複数付与され、この第１のエンボス１１の各底面１１Ｃには、図示例ではこの第１のエンボス１１の各壁面１１Ｂ及びエンボス間１１Ａにも、第２のエンボス１３が複数付与されている。そして、図５の（２）に示すように、例えば、座る等して５０ｇ／ｃｍ3程度の体圧がかかり第１のエンボス１１が潰れても、第２のエンボス１３の各底面１３Ｃが着用者に接しない構成とされている。このようにメッシュシートＭに体圧がかかって第１のエンボス１１が潰れても、第２のエンボス１３の各底面１３Ｃが着用者に接しない構成にされていると、十分なドライタッチ感が得られ、確実にドライタッチ感が得られるものとなる。
【００２２】
本形態の第１のエンボス１１は、図３に示すように、閉じた形状とされており、この閉じた形状のエンボス１１が、縦、横、斜め等に適宜の間隔をあけて複数形成されている。第１のエンボス１１の形状としては、図示例のような楕円形状のほか、例えば、真円形状等の円形状、長方形状、正方形状等の方形状、三角形状、四角形状（菱形状等）、五角形状等の多角形状、等とすることができる。
【００２３】
第１のエンボス１１の中心間距離は、０．５〜５ｍｍ、好ましくは１〜３ｍｍである。中心間距離が近すぎると、相対的に肌との接触面積が狭くなり、体液吸収性が低下する。各第１のエンボス１１の底部１１Ｃの面積は、０．００２〜０．２８ｃｍ2、好ましくは０．０２〜０．１３ｃｍ2である。底部１１Ｃの面積が狭すぎると、後述する第２のエンボス１２，１３の付与による効果が十分に発揮されない。他方、底部１１Ｃの面積が広すぎると、肌との接触面積が狭く体液吸収性が低下する。第１のエンボス１１の数は、２０〜１００個／ｃｍ2、好ましくは３０〜７０個／ｃｍ2である。単位面積当たりの第１のエンボス１１の数が少なすぎると、後述する第２のエンボス１２，１３の付与による効果が十分に発揮されない。他方、単位面積当たりの第１のエンボス１１の数が多すぎると、肌との接触面積が狭く体液吸収性が低下する。第１のエンボス１１の深さＸは、０．０１〜０．２ｍｍ、好ましくは０．０２〜０．１５ｍｍである。第１のエンボス１１の深さＸが浅すぎると、例えば、歩行時、就寝時等の体圧がかからない状態においても第１のエンボス１１の底部１１Ｃと肌とが接してしまい、第１のエンボス１１の付与による効果が得られなくなる。なお、この第１のエンボス１１の付与による効果としては、例えば、メッシュシートＭと透水性シート１との離間距離が確保され体液の逆戻りが防止されるとの効果や、透水性シート１、体液吸収体３等に吸収された径血等の体液が見えにくくなるとの効果（隠蔽性効果）を挙げることができる。他方、第１のエンボス１１の深さＸが深すぎると、体圧がかかった際に着用者に違和感を与えるおそれがある。第１のエンボス１１は、領域ごとに形状やエンボス間距離等のエンボスパターンを変化させることもできる。また、第１のエンボス１１の付与方法は、特に限定されず、例えば、熱圧着等によることができる。
【００２４】
本形態において、第２のエンボス１３は、体圧がかかって第１のエンボス１１が潰れた際にも、第２のエンボス１３の底面１３Ｃが着用者に接しない構成とされていれば足り、その形状、大きさ、深さ、単位面積当たりの数等が特に限定されるものではない。
【００２５】
ただし、当該構成とするにおいて、メッシュシートＭのＪＩＳ  Ｌ  １０９６に準じる剛度を１０〜５０ｍｍ、好ましくは２０〜４０ｍｍとし、かつ第２のエンボス１３の深さＹ（図５参照）を０．００５〜０．１ｍｍ、好ましくは０．０１〜０．０５ｍｍとし、更に図４の右下段に拡大して示すように、第２のエンボス１３の最大幅Ｚ２を０．００５〜０．１ｍｍ、好ましくは０．０１〜０．０５ｍｍの帯状とするのが望ましい。メッシュシートＭのＪＩＳ  Ｌ  １０９６に準じる剛度が上記範囲内にあると、メッシュシートＭ全体の柔軟性が得られ、また、第２のエンボス１３の付与によるざらざら感が抑制されながら、第１のエンボス１１の適度な形状保持性が図られる。また、メッシュシートＭのこのような物性に加えて、第２のエンボス１３の深さＹを０．００５ｍｍ以上としておけば、体圧がかかっていない状態における第１のエンボス間１１Ａの着用者に対する貼り付きが防止され、ドライタッチ感に優れる。もっとも、この際、第２のエンボス１３の最大幅Ｚ２は、０．１ｍｍ以下としておく必要がある。０．１ｍｍを超えると、深さＹを０．００５ｍｍ以上としたとしても、体圧がかかった際に第２のエンボス１３の底面１３Ｃが肌と接してしまい、ドライタッチ感が低下する。もちろん、幅Ｘ２が０．００５ｍｍ未満であると、第２のエンボス間１３Ａの肌との接触面積が広くなりすぎて、ドライタッチ感が低下する。
【００２６】
他方、第２のエンボス１３の深さＹが０．１ｍｍを超えると、たとえメッシュシートＭが上記物性であったとしても、特に体圧がかかった際に着用者に違和感が生じるおそれがある。
【００２７】
以上では、第２のエンボス１３が帯状である場合を説明したが、図４の左下段に符号１２で示すように、閉じた形状とし、この閉じた形状のエンボス１２が、縦、横、斜め等に適宜の間隔をあけて複数形成されていても望ましい形態（参考形態）となる。具体的には、メッシュシートＭが前記剛度とされている場合において、第２のエンボス１２は、深さを０．００５〜０．１ｍｍ、好ましくは０．０１〜０．０５ｍｍ、単位面積当たりの数を２０〜１００個／ｃｍ2、好ましくは３０〜７０個／ｃｍ2とするのが望ましい。
【００２８】
まず、この第２のエンボス１２の閉じた形状としては、図示例のような真円形状のほか、例えば、楕円形状等の円形状、長方形状、正方形状等の方形状、三角形状、四角形状（菱形状等）、五角形状等の多角形状、等とすることができる。
【００２９】
また、第２のエンボス１２の中心間距離は、０．００５〜０．０５ｍｍ、好ましくは  ０．０１〜０．０３ｍｍである。中心間距離が近すぎる、第２のエンボス１２の深さを十分に確保することができなくなる。他方、中心間距離が遠すぎると、第２のエンボス１３の付与による効果（ドライタッチ感）が得られなくなる。各第２のエンボス１２の底部の面積は、０．０００２〜０．０２８ｃｍ2、好ましくは０．００２〜０．０１３ｃｍ2である。この面積が狭すぎると、相対的に肌と接する面積が広くなり、ドライタッチ感が低下する。他方、この面積が広すぎても、第２のエンボス１２の底面が肌と接してしまい、ドライタッチ感が低下する。第２のエンボス１２の単位面積当たりの数は、２００〜１０００個／ｃｍ2、好ましくは３００〜７００個／ｃｍ2である。第２のエンボス１２の単位面積当たりの数が少なすぎると、この第２のエンボス１２を付与することによる効果が十分に発揮されない。他方、第２のエンボス１２の単位面積当たりの数が多すぎると、肌触り感が低下する。第２のエンボス１２の深さは、０．００５〜０．１ｍｍ、好ましくは０．０１〜０．０５ｍｍである。第２のエンボス１２の深さが浅すぎると、体圧がかかった状態において第２のエンボス１２の底部と肌とが接してしまい、第２のエンボス１２の付与による効果が得られなくなる。他方、第２のエンボス１２の深さが深すぎると、体圧がかかった際に第２のエンボス１２が潰れて第２のエンボス１２の壁部等が肌に接してしまい、ドライタッチ感が低下するおそれがある。この第２のエンボス１２も、領域毎にエンボスパターンを変化させることができる。また、第２のエンボス１２の付与方法は、特に限定されず、例えば、熱圧着等によることができる。ただし、通常、この閉じた形状の第２のエンボス１２や先の帯状の第２のエンボス１３は、第１のエンボス１１よりも先に形成する。
【００３０】
〔その他〕
本形態の生理用ナプキン１０は、その平面形状が特に限定されず、例えば、以上で示したように、エンドフラップＷ１を有し、前後方向に関して非対称な形状であっても、図示はしないが、エンドフラップＷ１等を有さず、前後方向に関して対称な形状であってもよい。
【産業上の利用可能性】
【００３１】
本発明は、生理用ナプキンやおりものシート、失禁パッド、医療用パッド、トイレタリー、紙おむつ等の体液吸収性物品として、適用可能である。
【図面の簡単な説明】
【００３２】
【図１】本形態の生理用ナプキンの平面図である。
【図２】図１のＡ−Ａ線部分の断面の分解図である。
【図３】第１のエンボスの付与例を説明するための模式平面図である。
【図４】第２のエンボスの付与例を説明するための模式平面図である。
【図５】第１のエンボス及び第２のエンボスの関係を説明するための模式断面図である。
【符号の説明】
【００３３】
１…透液性シート、２…防漏シート、３…体液吸収体、４…ギャザーシート、１０…生理用ナプキン、１１…第１のエンボス、１２，１３…第２のエンボス、Ｄ…弾性伸縮部材、Ｍ…メッシュシート（肌面シート）、Ｒ…立体ギャザー、Ｓ…止着部、Ｗ…ウィング、Ｗ１…エンドフラップ。
【図１】
0005074854.tif 000002
【図２】
0005074854.tif 000003
【図３】
0005074854.tif 000004
【図４】
0005074854.tif 000005
【図５】
0005074854.tif 000006